(57)【要約】【課題】  ケーシングを分解することなく、市販の画像取得装置を用いて羽根車や軸受を含む広い観察範囲で内部点検を行うことが可能な横軸ポンプを提供すること。【解決手段】  水平方向に沿って延在する回転軸２と、回転軸を支持する水中軸受３と、回転軸に設けられた羽根車４と、回転軸及び羽根車とを収納するケーシング５と、ケーシングの上部に設置された満水検知器６とを備え、満水検知器が、ケーシング貫通孔上に固定され検知器ケースと、検知器ケース内に配された満水検知機構と、検知器ケース内に配されていると共にケーシング貫通孔に下端が接続された多孔管８とを備え、検知器ケースが、ケーシング貫通孔の直上に形成され多孔管の上端に接続された上部貫通孔７ｂと、上部貫通孔に取り付けられ上部貫通孔を閉塞可能な蓋部とを備えている。【選択図】  図１
2020133494.tif 000002
【特許請求の範囲】
【請求項１】
水平方向に沿って延在し回転駆動される回転軸と、
前記回転軸を回転可能に支持する水中軸受と、
前記回転軸に設けられた羽根車と、
前記回転軸及び前記羽根車とを収納するケーシングと、
前記ケーシングの上部に前記ケーシング内と連通して設けられ前記ケーシングから内部に水が浸入したことを検知する満水検知器とを備え、
前記満水検知器が、前記ケーシングの上部に形成されたケーシング貫通孔上に固定され内部が前記ケーシング貫通孔に連通した検知器ケースと、
前記検知器ケース内に配され前記ケーシング貫通孔を介して前記検知器ケースの内部に水が浸入したことを検知可能な満水検知機構と、
前記検知器ケース内に配されていると共に前記ケーシング貫通孔に下端が接続され前記ケーシング貫通孔を介して前記吸引される水中の固形物を内側に留めて取り除く多孔管とを備え、
前記検知器ケースが、前記ケーシング貫通孔の直上に形成され前記多孔管の上端に接続された上部貫通孔と、
前記上部貫通孔に取り付けられ前記上部貫通孔を閉塞可能な蓋部とを備えていることを特徴とする横軸ポンプ。
【請求項２】
請求項１記載の横軸ポンプにおいて、
前記多孔管が、前記上部貫通孔から取り外し可能とされていることを特徴とする横軸ポンプ。
【請求項３】
請求項１又は２記載の横軸ポンプにおいて、
前記ケーシングが、前記水中軸受を収納する内部ケーシング部を備え、
前記内部ケーシング部が、前記ケーシング貫通孔の直下に挿通孔又は切り欠き部を有していることを特徴とする横軸ポンプ。
【請求項４】
請求項１から３のいずれか一項に記載の横軸ポンプにおいて、
前記多孔管が、少なくとも前記ケーシング内に向けて伸びる伸縮機構を有していることを特徴とする横軸ポンプ。
【請求項５】
請求項１から４のいずれか一項に記載の横軸ポンプにおいて、
前記多孔管の先端部が、前記ケーシング内に突出しており、
前記先端部が、任意の方向に屈曲可能とされていることを特徴とする横軸ポンプ。
【請求項６】
請求項４記載の横軸ポンプにおいて、
前記多孔管が、前記上部貫通孔に接続された外側管と、
前記外側管内に軸線を同じくして配され軸方向にスライド可能な少なくとも１つの内側管とを備えていることを特徴とする横軸ポンプ。
【発明の詳細な説明】
【技術分野】
【０００１】
本発明は、ファイバースコープ等による内部点検がしやすい横軸ポンプに関するものである。
【背景技術】
【０００２】
一般に、排水機場などで運転する横軸ポンプは、羽根車や水中軸受が水中に浸漬された状態で運転され、長期間の運転により異物の吸込みや経年劣化等により羽根車や軸受が磨耗する。この場合、性能低下だけでなく振動増大による破損の危険があるため、横軸ポンプの点検作業を定期的に行って羽根車や水中軸受の磨耗状態を確認する必要がある。
しかしながら、羽根車や水中軸受の状態を確認するためには、横軸ポンプを分解する必要が有り、多大な作業費用と時間を要する。また、点検作業期間の間は運転することができないため、万が一に緊急の排水要請が発生した場合には対応できない恐れがある。
【０００３】
そこで、近年は、ポンプの内部状況を比較的容易に観察する方法として、画像取得装置（例えばファイバスコープやビデオスコープ）をポンプケーシングの点検口から挿入して内部を観察する方法が用いられている。これにより、ポンプの分解作業が発生しないために、容易に内部点検を行うことが可能となる。
しかしながら、この方法は点検口からポンプ内部の観察対象物まで画像取得装置を近づける必要が有り、羽根車などの複雑な形状をした部品では、画像取得装置が届く特定の範囲しか観察することができない。羽根車よりも上流側の吸込みケーシングに設けられた点検口から羽根車を観察するには、羽根車入口側の画像情報しか得ることができず、さらに深奥部の羽根車出口側までを観察することは困難である。
【０００４】
また、ビデオスコープなどのケーブルは、ケーブル内に配設されているワイヤを引張ることにより任意の方向にケーブルを曲げられる構造であるが、可動部はケーブルの先端のみであり、観察対象物までの距離が長い場合には、可動部以外のケーブルは自重による曲りが生じるために、所望の観察位置までに到達することが困難であり、正確な観察を行うことができなかった。
さらに、水中軸受は、外ケーシングの内側に配設された内ケーシングの内部でポンプ軸の一端を軸支しており、画像取得装置は内ケーシングの内部に挿入できるポンプ構成にはなっていない。
【０００５】
そのため、従来、例えば特許文献１には、横軸ポンプの点検口からケーシング内に挿入されるレールと、レール上をレールに沿って移動可能で撮影装置を有する点検ユニットとを備えた横軸ポンプの内部点検装置が記載されている。
【０００６】
また、立軸ポンプの内部点検装置であるが、特許文献２には、立軸ポンプの羽根車近傍の側面に連通する点検管を設けており、上方に開口した点検管に挿入ユニットを転結して、挿入自在な画像取得装置を挿入ユニットから挿入することができ、さらに羽根車近傍に圧縮空気を供給する圧縮機とを供え、点検管に通水管を接続し、点検管を通じてポンプ内部に圧縮空気を送り、ポンプ内部の残留排水を空気と置換することによって画像取得装置により鮮明な画像を取得する構成が開示されている。この方法であれば容易にポンプ内部の観察対象物まで到達させて点検を行うことが可能である。
【先行技術文献】
【特許文献】
【０００７】
【特許文献１】特開２０１５−２００２４１号公報
【特許文献２】特開２０１０−８４７４７号公報
【発明の概要】
【発明が解決しようとする課題】
【０００８】
上記従来の技術において、以下の課題が残されている。
すなわち、特許文献１に記載されている技術では、専用のレール及び点検ユニットを用意する必要があり、市販のファイバースコープ等の画像取得装置をそのまま用いることができないという不都合があった。また、レールの一端を第１点検口に固定すると共にレールの他端を第２点検口に固定しなければならず、少なくとも２つの点検口をケーシングに形成する必要であると共に、レールの配置も２つの点検口の位置に制限されてしまう問題があった。
また、特許文献２に記載されている技術では、点検管を常設する必要があり、部品点数が増えることや、維持・メンテナンスの作業が増加するという問題があった。さらに、点検管は固定されているために、画像取得装置による観察範囲は点検管の固定位置で限定されてしまい、十分な観察範囲を確保できなかった。
【０００９】
本発明は、上記従来の問題に鑑みてなされたもので、ケーシングを分解することなく、市販の画像取得装置を用いて羽根車や軸受を含む広い観察範囲で内部点検を行うことが可能な横軸ポンプを提供することを目的とする。
【課題を解決するための手段】
【００１０】
本発明は、前記課題を解決するために以下の構成を採用した。すなわち、第１の発明に係る横軸ポンプは、水平方向に沿って延在し回転駆動される回転軸と、前記回転軸を回転可能に支持する水中軸受と、前記回転軸に設けられた羽根車と、前記回転軸及び前記羽根車とを収納するケーシングと、前記ケーシングの上部に前記ケーシング内と連通して設けられ前記ケーシングから内部に水が浸入したことを検知する満水検知器とを備え、前記満水検知器が、前記ケーシングの上部に形成されたケーシング貫通孔上に固定され内部が前記ケーシング貫通孔に連通した検知器ケースと、前記検知器ケース内に配され前記ケーシング貫通孔を介して前記検知器ケースの内部に水が浸入したことを検知可能な満水検知機構と、前記検知器ケース内に配されていると共に前記ケーシング貫通孔に下端が接続され前記ケーシング貫通孔を介して前記吸引される水中の固形物を内側に留めて取り除く多孔管とを備え、前記検知器ケースが、前記ケーシング貫通孔の直上に形成され前記多孔管の上端に接続された上部貫通孔と、前記上部貫通孔に取り付けられ前記上部貫通孔を閉塞可能な蓋部とを備えていることを特徴とする。
【００１１】
この横軸ポンプでは、検知器ケースが、ケーシング貫通孔の直上に形成され多孔管の上端に接続された上部貫通孔と、上部貫通孔に取り付けられ上部貫通孔を閉塞可能な蓋部とを備えているので、蓋部を空けて上部貫通孔を開口させることで、上部貫通孔から多孔管内を介してケーシング貫通孔まで連通した画像取得装置用の挿入孔を形成することができる。すなわち、上部貫通孔からファイバースコープ等の画像取得装置を導入して多孔管内を介してケーシング貫通孔からケーシング内に画像取得装置を挿入することができ、羽根車等を容易に観察・点検することができる。特に、満水検知器は、ケーシングの上部であって羽根車の上方に設置されるため、羽根車等の点検が容易となる。また、多孔管が画像取得装置のガイドとなるため、画像取得装置をスムーズにケーシング内に挿入することができる。
【００１２】
第２の発明に係る横軸ポンプでは、第１の発明において、前記多孔管が、前記上部貫通孔から取り外し可能とされていることを特徴とする。
すなわち、この横軸ポンプでは、多孔管が、上部貫通孔から取り外し可能とされているので、多孔管を外した状態で上部貫通孔及びケーシング貫通孔から画像取得装置を挿入することができ、多孔管の内径による制限が無くなり、使用可能な画像取得装置の形状や大きさの自由度が向上する。
【００１３】
第３の発明に係る横軸ポンプでは、第１又は第２の発明において、前記ケーシングが、前記水中軸受を収納する内部ケーシング部を備え、前記内部ケーシング部が、前記ケーシング貫通孔の直下に挿通孔又は切り欠き部を有していることを特徴とする。
すなわち、この横軸ポンプでは、ケーシングが、水中軸受を収納する内部ケーシング部を備え、内部ケーシング部が、ケーシング貫通孔の直下に挿通孔又は切り欠き部を有しているので、ケーシング貫通孔から挿通孔又は切り欠き部を介して画像取得装置を内部ケーシング部内まで挿入することができ、水中軸受を観察することができる。
【００１４】
第４の発明に係る横軸ポンプでは、第１から第３の発明のいずれかにおいて、前記多孔管が、少なくとも前記ケーシング内に向けて伸びる伸縮機構を有していることを特徴とする。
すなわち、この横軸ポンプでは、多孔管が、少なくともケーシング内に向けて伸びる伸縮機構を有しているので、ガイドとしても機能する多孔管がケーシング内方に伸びることで、ケーシング貫通孔から遠い下方の領域まで、よりスムーズに画像取得装置をケーシング内に挿入することができる。
【００１５】
第５の発明に係る横軸ポンプでは、第１から第４の発明のいずれかにおいて、前記多孔管の先端部が、前記ケーシング内に突出しており、前記先端部が、任意の方向に屈曲可能とされていることを特徴とする。
すなわち、この横軸ポンプでは、多孔管の先端部が、ケーシング内に突出しており、先端部が、任意の方向に屈曲可能とされているので、ガイドとしても機能する多孔管の先端部を任意の方向に向けることができ、ケーシング貫通孔の直下だけでなく、ケーシング貫通孔の周囲の遠い領域に画像取得装置を向けたり近づけたりすることが可能になる。
【００１６】
第６の発明に係る横軸ポンプでは、第４の発明において、前記多孔管が、前記上部貫通孔に接続された外側管と、前記外側管内に軸線を同じくして配され軸方向にスライド可能な少なくとも１つの内側管とを備えていることを特徴とする。
すなわち、この横軸ポンプでは、多孔管が、上部貫通孔に接続された外側管と、外側管内に軸線を同じくして配され軸方向にスライド可能な少なくとも１つの内側管とを備えているので、内側管を外側管内から下方に摺動させることで、多孔管の全長を容易に伸ばすことができる。特に、同軸の内側管を複数設けることで、２段以上の複数段で多孔管の全長をより伸ばすことが可能になる。
【発明の効果】
【００１７】
本発明によれば、以下の効果を奏する。
すなわち、本発明の横軸ポンプによれば、検知器ケースが、ケーシング貫通孔の直上に形成され多孔管の上端に接続された上部貫通孔と、上部貫通孔に取り付けられ上部貫通孔を閉塞可能な蓋部とを備えているので、上部貫通孔からケーシング貫通孔まで連通した画像取得装置の挿入孔を形成することができると共に、多孔管がガイドとなって画像取得装置をスムーズにケーシング内に挿入することができる。
【図面の簡単な説明】
【００１８】
【図１】本発明に係る横軸ポンプの第１実施形態において、画像取得装置を挿入した際の断面図である。
【図２】第１実施形態において、要部の拡大断面図である。
【図３】第１実施形態において、多孔管及び蓋部を示す一部を破断した正面図である。
【図４】第１実施形態において、多孔管を取り外した状態で画像取得装置を挿入した際の要部の拡大断面図である。
【図５】第１実施形態において、多孔管を取り外した状態で画像取得装置を挿入した際の断面図である。
【図６】本発明に係る横軸ポンプの第２実施形態において、縮めた状態の多孔管を示す一部を破断した正面図である。
【図７】第２実施形態において、伸ばした状態の多孔管を示す一部を破断した正面図である。
【図８】第２実施形態において、外側管（ａ）と、内側管（ｂ）と、縮めた状態の多孔管の外側管及び内側管（ｃ）とを示す上面図である。
【図９】本発明に係る横軸ポンプの第３実施形態において、先端部がまっすぐの状態の多孔管を示す一部を破断した正面図である。
【図１０】本発明に係る横軸ポンプの第３実施形態において、先端部が屈曲した状態の多孔管を示す一部を破断した正面図である。
【図１１】本発明に係る横軸ポンプの第４実施形態において、先端部がまっすぐの状態の多孔管を示す正面図である。
【発明を実施するための形態】
【００１９】
以下、本発明における横軸ポンプの第１実施形態を、図１から図５に基づいて説明する。
【００２０】
本実施形態における横軸ポンプ１は、図１及び図２に示すように、水平方向に沿って延在し回転駆動される回転軸２と、回転軸２を回転可能に支持する水中軸受３と、回転軸２に設けられた羽根車（インペラ）４と、回転軸２及び羽根車４とを収納するケーシング５と、羽根車４の近傍かつ水中軸受３の上方であってケーシング５の上部にケーシング５内と連通して設けられケーシング５から内部に水が浸入したことを検知する満水検知器６とを備えている。
【００２１】
上記満水検知器６は、図２に示すように、ケーシング５の上部に形成されたケーシング貫通孔５ａ上に固定され内部がケーシング貫通孔５ａに連通した検知器ケース７と、検知器ケース７内に配されケーシング貫通孔５ａを介して検知器ケース７の内部に水が浸入したことを検知可能な満水検知機構９と、検知器ケース７の内部に接続されケーシング貫通孔５ａを介してケーシング５内の水を真空ポンプ（図示略）等の空気引き装置で吸引するための空気引き装置接続部７ａと、検知器ケース７内に配されていると共にケーシング貫通孔５ａに下端が接続されケーシング貫通孔５ａを介して前記吸引される水中の固形物を内側に留めて取り除く多孔管８とを備えている。
【００２２】
上記満水検知器６は、ケーシング５の上部であって羽根車４の近傍かつ水中軸受３の上方に設置されている。特に、満水検知器６は、羽根車４の出口側の上方に設置されている。
上記検知器ケース７は、図２及び図３に示すように、ケーシング貫通孔５ａの直上に形成され多孔管８の上端に接続された上部貫通孔７ｂと、上部貫通孔７ｂに取り付けられ上部貫通孔７ｂを閉塞可能な蓋部７ｃとを備えている。
この蓋部７ｃは、上部貫通孔７ｂに接続された多孔管８の上端開口部を閉塞することで上部貫通孔７ｂを閉塞するものである。
【００２３】
上記多孔管８は、図４及び図５に示すように、上部貫通孔７ｂから取り外し可能とされている。すなわち、多孔管８は上部貫通孔７ｂから抜き取りできるように外径が設定されている。
多孔管８の上部には、フランジ部８ａが形成されており、上部貫通孔７ｂの周辺部にフランジ部８ａが係止されて支持されていると共に、上部貫通孔７ｂから上方に多孔管８を抜き取り可能になっている。
【００２４】
上記ケーシング５は、水中軸受３を収納する内部ケーシング部１０を内部に備えている。内部ケーシング部１０は、羽根車４の出口側に設けられている。
すなわち、内部ケーシング部１０は、羽根車４よりも水の出口側で水中軸受３を覆って設けられている。
なお、本実施形態の横軸ポンプ１では、下方から水が吸い込まれ、図１中の右側が水の出口側（吐出方向）となる。
【００２５】
上記内部ケーシング部１０は、ケーシング貫通孔５ａの直下に挿通孔又は切り欠き部１０ａを有している。本実施形態では、内部ケーシング５の先端側（吸込側、羽根車４の出口側）上部に画像取得装置Ｆが挿通可能な切り欠き部１０ａが形成されているが、上部に挿通孔を形成しても構わない。
【００２６】
上記画像取得装置Ｆは、例えばファイバースコープやビデオスコープ等の内部点検用の装置であり、先端部を任意の向きに曲げることが可能になっている。
なお、上部貫通孔７ｂ，多孔管８及びケーシング貫通孔５ａも、それぞれ画像取得装置Ｆが挿通可能な内径に設定されている。
上記多孔管８は、図３に示すように、メッシュの金属管又はパンチング加工された金属管で本体が形成された管状のストレーナである。なお、多孔管８の周面におけるパンチング又はメッシュは、一部を除いて図示を省略している。
【００２７】
上記満水検知機構９は、検知器ケース７内に上部から垂下状態で突出した電極棒９ａを備えており、検知器ケース７内に水が浸入して電極棒９ａが水に接触すると、電極棒９ａで検知する抵抗値等が変化することで、ケーシング５内が水で満たされ検知器ケース７内にまで水が浸入したことを検知可能である。
なお、満水検知機構９は、多孔管８及び上部貫通孔７ｂの軸線をケーシング貫通孔５ａの軸線に合わせてケーシング５上にボルト等で固定されている。
【００２８】
上記回転軸２は、吐出方向の一端部が水中軸受３で回転可能に支持されていると共に、他端部がモータ等の原動機（図示略）に接続され回転駆動される。
また、回転軸２は、原動機側の途中がケーシング５に貫通して、貫通部のケーシング５の軸シール１２が適宜な方法で固定されて貫通部が軸封される。
なお、ケーシング５の上部であって羽根車４の入口側にも点検口１３が設けられている。
【００２９】
このように本実施形態の横軸ポンプ１では、検知器ケース７が、ケーシング貫通孔５ａの直上に形成され多孔管８の上端に接続された上部貫通孔７ｂと、上部貫通孔７ｂに取り付けられ上部貫通孔７ｂを閉塞可能な蓋部７ｃとを備えているので、図１及び図２に示すように、蓋部７ｃを空けて上部貫通孔７ｂを開口させることで、上部貫通孔７ｂから多孔管８内を介してケーシング貫通孔５ａまで連通した画像取得装置Ｆ用の挿入孔を形成することができる。
【００３０】
すなわち、上部貫通孔７ｂからファイバースコープ等の画像取得装置Ｆを導入して多孔管８内を介してケーシング貫通孔５ａからケーシング５内に画像取得装置Ｆを挿入することができ、羽根車４等を容易に観察・点検することができる。特に、満水検知器６は、ケーシング５の上部であって羽根車４の近傍かつ水中軸受３の上方に設置されるため、羽根車４や水中軸受３の点検が容易となる。また、多孔管８が画像取得装置Ｆのガイドとなるため、画像取得装置Ｆをスムーズにケーシング５内に挿入することができる。
【００３１】
また、多孔管８が、上部貫通孔７ｂから取り外し可能とされているので、図４及び図５に示すように、多孔管８を外した状態で上部貫通孔７ｂ及びケーシング貫通孔５ａから画像取得装置Ｆを挿入することができ、多孔管８の内径による制限が無くなり、使用可能な画像取得装置Ｆの形状や大きさの自由度が向上する。
【００３２】
さらに、ケーシング５が、水中軸受３を収納する内部ケーシング部１０を備え、内部ケーシング部１０が、ケーシング貫通孔５ａの直下に挿通孔又は切り欠き部１０ａを有しているので、図１及び図５に示すように、ケーシング貫通孔５ａから挿通孔又は切り欠き部１０ａを介して画像取得装置Ｆを内部ケーシング部１０内まで挿入することができ、水中軸受３を観察することができる。
【００３３】
次に、本発明に係る横軸ポンプの第２から第４実施形態について、図６から図１０を参照して以下に説明する。なお、以下の各実施形態の説明において、上記実施形態において説明した同一の構成要素には同一の符号を付し、その説明は省略する。
【００３４】
第２実施形態と第１実施形態との異なる点は、第１実施形態では、多孔管８が１本の直管であり、その長さが変わらないのに対し、第２実施形態の横軸ポンプでは、図６から図８に示すように、多孔管２８が、少なくともケーシング５内に向けて伸びる伸縮機構を有している点である。
【００３５】
すなわち、第２実施形態の多孔管２８は、上部貫通孔７ｂに上部が接続された外側管２５と、外側管２５内に軸線を同じくして配され外側管２５の内径よりも外径が小さい第１内側管２６と、第１内側管２６内に軸線を同じくして配され第１内側管２６の内径よりも外径が小さい第２内側管２７とを備えている。
【００３６】
上記第１内側管２６及び第２内側管２７は、外側管２５内に収納された状態の際に、外側管２５のパンチングの開口面積が小さくならないように、周面が外側管２５のパンチングの開口面積より大きな開口面積のメッシュで形成されている。なお、外側管２５，第１内側管２６及び第２内側管２７の周面におけるパンチング及びメッシュは、一部を除いて図示を省略している。
【００３７】
外側管２５の内側には第１内側管２６が下方にスライド可能に配され、第１内側管２６の内側には第２内側管２７が下方にスライド可能に配されている。また、第２内側管２７は、外側管２５に対して相対的に軸線周りに回動可能となっている。
上記外側管２５の下部には、半径方向内方に突出した円環状の外側管下部凸部２５ａが設けられていると共に、上記第１内側管２６の上部には、第１内側管２６を下方にスライドした際に外側管下部凸部２５ａの上面に係止可能な第１上部フランジ部２６ａが形成されている。
【００３８】
また、上記第１内側管２６の下部には、半径方向内方に突出した円環状の第１内側管凸部２６ｂが設けられていると共に、上記第２内側管２７の上部には、第２内側管２７を下方にスライドした際に第１内側管凸部２６ｂの上面に係止可能な第２上部フランジ部２７ａが形成されている。
外側管２５の上部には、図６，図７及び図８の（ａ）に示すように、半径方向内方に突出した複数の外側管上部凸部２５ｂが設けられ、第２上部フランジ部２７ａには、外側管上部凸部２５ｂに対応した複数の第２凹部２７ｂが形成されている。
【００３９】
第２上部フランジ部２７ａは、第２内側管２７を外側管２５内に収納した際に、第１内側管凸部２６ｂの上面にも係止可能とされている。
さらに、第２内側管２７の下部には、第２内側管２７を外側管２５内に収納した際に、第１内側管凸部２６ｂの下面に係止可能な第２下部フランジ部２７ｃが形成されている。
【００４０】
すなわち、図６に示すように、多孔管８は、通常時には外側管２５内に第１内側管２６及び第２内側管２７が収納されて縮められている。
このとき、図８の（ｃ）に示すように、第２内側管２７の第２上部フランジ部２７ａが外側管２５の外側管上部凸部２５ｂの上面に係止されることで、第２内側管２７が外側管２５に支持される。また、第１内側管２６の第１内側管凸部２６ｂが第２内側管２７の第２下部フランジ部２７ｃの上面に係止されることで、第１内側管２６が第２内側管２７に支持される。
【００４１】
また、図７に示すように、多孔管８は、内部点検時には外側管２５から第１内側管２６及び第２内側管２７が下方にスライドして伸びた状態とされる。
まず、第２内側管２７を軸線周りに回動させ外側管２５の外側管上部凸部２５ｂと第２内側管２７の第２凹部２７ｂとを合わせることで、第２内側管２７の第２上部フランジ部２７ａが外側管上部凸部２５ｂから外れて第２内側管２７が下方にスライドする。このとき、下方に移動した第２内側管２７の第２上部フランジ部２７ａは、第１内側管２６の第１内側管凸部２６ｂの上面に当接し、第１内側管２６と共に下方にスライドすることで、多孔管８は、図７に示すように、外側管２５から第１内側管及び第２内側管２７の２段階で下方に伸びた状態となる。
【００４２】
このように第２実施形態の横軸ポンプでは、多孔管２８が、少なくともケーシング５内に向けて伸びる伸縮機構を有しているので、ガイドとしても機能する多孔管２８がケーシング５内方に伸びることで、ケーシング貫通孔５ａから遠い下方の領域まで、よりスムーズに画像取得装置Ｆをケーシング５内に挿入することができる。
また、多孔管２８が、上部貫通孔７ｂに接続された外側管２５と、外側管２５内に軸線を同じくして配され軸方向にスライド可能な第１内側管２６及び第２内側管２７とを備えているので、第１内側管２６及び第２内側管２７を外側管２５内から下方に摺動させることで、多孔管２８の全長を容易に伸ばすことができる。特に、同軸の内側管を複数設けることで、２段以上の複数段で多孔管２８の全長をより伸ばすことが可能になる。
【００４３】
次に、第３実施形態と第１実施形態との異なる点は、第１実施形態では、多孔管８が単に垂直方向に軸線を有した直管であるのに対し、第３実施形態の横軸ポンプは、図９及び図１０に示すように、多孔管３８の先端部３９が、ケーシング５内に突出しており、先端部３９、任意の方向に屈曲可能とされている点である。
すなわち、第３実施形態では、多孔管３８が、軸線に対して垂直方向に回動軸を有して回動可能な先端部３９を備えている。
【００４４】
上記多孔管３８は、多孔管本体３７と、多孔体本体３７の先端に取り付けられた円筒状の先端部３９とを備えている。
先端部３９は、その基端が多孔管本体３７の先端に回動可能にピン３９ａで支持されている。
また、多孔管３８周面の両側には、軸線に沿って２本のワイヤー３７ａが取り付けられている。２本のワイヤー３７ａは、先端部３９の回動軸（ピン３９ａ）に対して直交する面上に設けられている。
【００４５】
これらワイヤー３７ａは、多孔管本体３７及び先端部３９の側面に設けられたワイヤー支持部３７ｂの貫通孔に挿通されて延在している。
また、ワイヤー３７ａは、基端が蓋部７ｃから外部に突出していると共に先端が先端部３９の先端部分に固定されている。すなわち、２本のワイヤー３７ａの一方を引っ張ることで、図１０に示すように、先端部３９をピン３９ａを回動軸として多孔管本体３７に対して曲げることができる。また、多孔管３８が、軸線周りに回動可能であるため、この回動操作と上記ワイヤー３７ａによる先端部３９の屈曲操作とにより、先端部３９を任意の方向に曲げることが可能である。
【００４６】
このように第３実施形態の横軸ポンプでは、多孔管３８の先端部３９が、ケーシング５内に突出しており、先端部３９が、任意の方向に屈曲可能とされているので、ガイドとしても機能する多孔管３８の先端部３９を任意の方向に向けることができ、ケーシング貫通孔５ａの直下だけでなく、ケーシング貫通孔５ａの周囲の遠い領域に画像取得装置Ｆを向けたり近づけたりすることが可能になる。
【００４７】
次に、第４実施形態と第３実施形態との異なる点は、第３実施形態では、先端管３９がピン３９ａで多孔管本体３７に回動可能に固定されているのに対し、第４実施形態の横軸ポンプは、図１１に示すように、多孔管本体４７と先端部４９とがベローズ４６で接続されている点である。
すなわち、第４実施形態では、２本のワイヤー３７ａの一方を引っ張ることで、ベローズ４６が曲がって先端部４９を任意の方向に向けることが可能である。
【００４８】
このように第４実施形態の横軸ポンプでは、第３実施形態と同様に、多孔管４８の先端部４９が、ベローズ４６により任意の方向に屈曲可能とされているので、ガイドとしても機能する多孔管４８の先端部４９を任意の方向に向けることができ、ケーシング貫通孔５ａの直下だけでなく、ケーシング貫通孔５ａの周囲の遠い領域に画像取得装置Ｆを向けたり近づけたりすることが可能になる。
なお、ベローズ４６の代わりにコイルやゴム等の弾性体で形成した円筒部材を採用しても構わない。
【００４９】
なお、本発明は上記各実施形態に限定されるものではなく、本発明の趣旨を逸脱しない範囲において種々の変更を加えることが可能である。
【００５０】
例えば、上記各実施形態では、横軸ポンプが水面より上部に設置されているが、水面下に設置される横軸ポンプに本発明を適用しても構わない。この場合の満水検知器は、満水検知器内の気体を排気する排気口を有し、この排気口は満水検知器内の水位変動に伴い移動するフロート用ボールの接地によって排気口を開閉する構造を有するもの等が採用可能である。
【符号の説明】
【００５１】
１…横軸ポンプ、２…回転軸、３…水中軸受、４…羽根車、５…ケーシング、６…満水検知器、７…検知器ケース、７ａ…空気引き装置接続部、７ｂ…上部貫通孔、７ｃ…蓋部、８，２８，３８，４８…多孔管、９…満水検知機構、１０…内部ケーシング部、１０ａ…切り欠き部、２５…外側管、２６…第１内側管、２７…第２内側管、３９，４９…多孔管の先端部
【図１】
2020133494.tif 000003
【図２】
2020133494.tif 000004
【図３】
2020133494.tif 000005
【図４】
2020133494.tif 000006
【図５】
2020133494.tif 000007
【図６】
2020133494.tif 000008
【図７】
2020133494.tif 000009
【図８】
2020133494.tif 000010
【図９】
2020133494.tif 000011
【図１０】
2020133494.tif 000012
【図１１】
2020133494.tif 000013